(57)【要約】【課題】特により大きい頭部公差を許容するネジをロックするための簡単で効率的なロック装置を提供する。【解決手段】本発明は、電気端子のネジをロックするためのロック装置であって、絶縁性変形可能材料またはプラスチック材料から構成される部材またはハウジング状要素（１）を備え、この部材またはハウジング状要素（１）には略垂直に延びるシャフト（２）が形成され、頭部（４）を含むネジ（３）をシャフト（２）に挿入して皿穴に埋め込まれ、皿ネジ（３）をロックするためにシャフト壁（５）の領域に輪郭部（６）が設けられ、ネジ（３）が挿入されるときおよび頭部（４）が輪郭部（６）を通過するときにこの輪郭部（６）が弾性的に変形されて、頭部（４）が輪郭部（６）を通過した時点で、ネジ（３）をロックするための輪郭部（６）がシャフトの内側へ向けて立ち直るロック装置において、シャフト壁（５）には、部材またはハウジング状要素（１）を構成する材料中に形成される環状溝（８）が設けられてネジ（３）またはシャフト（２）が非円形の形状を成している。【選択図】図２
2011501069.tif 000002
【特許請求の範囲】
【請求項１】
電気端子のネジをロックするためのロック装置であって、絶縁性変形可能材料またはプラスチック材料から構成される部材またはハウジング状要素（１）を備え、該部材またはハウジング状要素（１）には略垂直に延びるシャフト（２）が形成され、頭部（４）を含むネジ（３）がシャフト（２）に挿入されて皿穴に埋め込まれ、前記ネジ（３）をロックするためにシャフト壁（５）の領域に輪郭部（６）が設けられ、前記ネジ（３）が挿入されるときおよび前記頭部（４）が前記輪郭部（６）を通過するときに該輪郭部（６）が弾性的に変形されて前記頭部（４）が前記輪郭部（６）を通過した時点で、前記ネジ（３）をロックするための輪郭部（６）がシャフト（２）の内側へ向けて立ち直るロック装置において、
シャフト壁（５）には、前記部材またはハウジング状要素（１）を構成する材料中に形成される環状溝（８）を設けられて前記ネジ（３）または前記シャフト（２）が非円形の形状を成していることを特徴とするロック装置。
【請求項２】
前記ネジ（３）の頭部（４）が、楕円形状を有していることを特徴とする請求項１記載のロック装置。
【請求項３】
前記ネジ（３）を受けるためのシャフト（２）が、楕円形状を有していることを特徴とする請求項１記載のロック装置。
【請求項４】
前記シャフト壁（５）には、前記部材またはハウジング状要素（１）を構成する材料中に形成される環状溝（８）と相互作用する少なくとも部分的に環状の一体くびれ（７）が設けられていることを特徴とする請求項１乃至３のいずれか一つに記載のロック装置。
【請求項５】
前記一体くびれ（７）がリング形状を有するように形成されているとともにその断面形状が台形となるように形成されていることを特徴とする請求項４に記載のロック装置。
【請求項６】
前記環状溝（８）が矩形状を有しており、環状溝（８）の底部（１１）が、前記一体くびれ（７）の下側傾斜側面（１２）の肩部の領域またはその下側に形成されていることを特徴とする請求項４または請求項５に記載のロック装置。
【発明の詳細な説明】
【技術分野】
【０００１】
本発明は、電気端子のネジをロックするためのロック装置であって、絶縁性変形可能材料、好ましくはプラスチック材料から構成される部材またはハウジング状要素を備え、この部材またはハウジング要素には略垂直に延びるシャフトが形成され、ネジをシャフトに挿入して皿穴に埋め込むことができ、皿ネジをロックするためにシャフト壁の領域に輪郭部が設けられ、ネジが挿入されるとき、および、ネジの頭部が輪郭部を通過するときにこの輪郭部を弾性的に変形させることができ、ネジの頭部が輪郭部を通過した時点で、ネジをロックするための輪郭部がシャフトの内側へ向けて立ち直るロック装置に関する。
【背景技術】
【０００２】
ハウジング領域でネジが誤って緩むのを防止するロック装置は、従来技術から知られている。
したがって、例えば、ＤＥ２９６２１２６７は、ネジ頭部がネジ回し開口を除いてカバーハウジングにより覆われるネジ型端子を有するロック装置を開示している。
この場合、このカバーハウジングは、互いに最小距離で隔てられるリブを有しており、その最小距離はネジ頭部の直径よりも小さい。
このロック装置では、ネジ頭部が回転するにつれてリブの突出部が擦れ合いによって除去されるとともにこれらのリブが変形によって押しのけられる。
プラスチック材料のおかげでリブが立ち直るため、皿ネジがハウジング領域内でロックされる。
【０００３】
ネジの緩み止めロック装置がＧ９３０８０９６．４に開示されている。
このロック装置（ネジ頭部とボルトネジとの間にネジが無いボルト部分、または、テーパ領域を有し、かつ、接続部品に形成された穴内に捩じ込むことができる軸ネジを対象とする）では、ネジ側のハウジングの接続部品が、ネジが挿入されるときにネジ無し領域、または、テーパ領域に押し込まれる材料から構成される一体リングを有しているため、ネジが接続部品から不意に緩まないようにロックされる。
【０００４】
ＤＥ３０２８９５８に記載され、かつ、本発明の基礎としての役目を果たす従来技術の他のロック装置では、ロック装置が電気端子用のネジロックに関連している。、このロック装置では、ネジを部材またはハウジング状要素のシャフトの皿穴内に埋め込むように配置することができる。
これに関して、垂直シャフトは輪郭部を有しており、この輪郭部が、ネジが挿入されるとき、および、ネジの頭部が輪郭部を通過するときに弾性変形することができる。
ネジの頭部が輪郭部を通過した後、この輪郭部がネジ頭部を乗り越えて回復する程度まで立ち直って皿ネジのロックが完了する。
【発明の概要】
【発明が解決しようとする課題】
【０００５】
しかしながら、電気端子のネジをロックするための従来技術から知られるこれらのロック装置では、ネジの緩みを防止するようになっている従来のネジロック要素が、寸法の非常に綿密な調整および非常に狭い製造公差の順守を必要とするという問題点があった。
また、プラスチックハウジングのくびれは、挿入中に押しのけられ、あるいは、変形されてネジの緩みを排除できないという問題点があった。
【０００６】
したがって、本発明は、特により大きい頭部公差を許容するネジをロックするための簡単で効率的なロック装置を提供することを目的とする。
【課題を解決するための手段】
【０００７】
本発明によれば、この目的は、請求項１の特徴によって達成される。
本発明の有利な実施例、および、改良を以下に与えられる従属請求項から探り出すことができる。
【０００８】
本発明によって達成され得る利点は、より大きな頭部公差を有する皿ネジが誤って緩むことを防止することができるという点にある。
本ロック装置により、ネジの挿入後、または、挿入中にだけ全体のくびれが形成されるとともに余分な材料が最初に弾性的に変位されるとともに、穴の周囲に形成されている環状溝へあるいは自由空間へと材料が有利に逃げ込むため、くびれの縁部がネジの頭部上にわたって無応力で移動することができる。
挿入中、くびれの縁部が引き伸ばされなければ特に有益である。
くびれの縁部が一時的にのみ弾性的に変形されて材料中に応力が存在せず、より大きな公差を許容してネジをロックすることが可能である。
特に、ネジロック要素が射出成形によって製造される場合、金型の変更を行なうことができ、かつ、部品を金型から非常に容易に除去することができる。
【０００９】
この目的のため、シャフト壁に、材料中に形成される環状溝と相互作用する部分的にあるいは完全に環状の一体くびれあるいは自由空間を設けることによってネジおよび／またはシャフトが非円形の形状を有している。
この場合、ネジの頭部が楕円形状を有していることが特に有益である。
無論、同様に、ネジを受けるためのシャフトが楕円形状を有していてもよい。
本実施例において、シャフトは、ネジに関しては概ね自由であり、薄壁を伴って形成される。
ここでは、最大幅の寸法が最大ネジ頭部よりも大きい。
片持ち突出部は、最小ネジ頭部よりもかなり小さい。
穴の外周は常に頭部よりも大きい。
挿入中、穴の外周が伸長して、片持ち突出部を伴う領域が外側に押し出される。
片持ち突出部を伴わない領域はネジの方へ引き寄せられる。
【００１０】
穴の外周は常にネジ頭部の外周よりも大きいため、従来技術の解決策と同様、穴の縁部が引き伸ばされる必要がない。
ネジの挿入は非常に簡単であり、ネジ公差が、従来技術の解決策の場合よりも問題にならない。
【００１１】
同じ原理は、円形穴非円形ネジおよび楕円ネジに関して実施することもできる。
【００１２】
ここでも、ネジの最大頭部外周は、穴の外周よりも小さくなければならない。
挿入中、穴壁は、伸長して、伸長されないネジ頭部の非円形形状に適合する。
【００１３】
ネジの挿入は、一体くびれがリング形状となるように形成されているとともにその断面形状が台形であるという点によって促進される。
したがって、ネジ頭部がシャフトの皿穴内に埋め込まれると、ネジの非円形形状の頭部が傾斜した上側側面と接触し、この接触により環状溝の領域でリング形状のくびれの偏向を促してネジ頭部が更に締め付けられるとともにネジ頭部自体が断面形状（ここでは、台形形状）を通り越して下側傾斜側面によって回復が引き起こされる。
【００１４】
好ましい実施例によれば、環状溝または自由空間が矩形状であるため、環状溝の底部が、一体くびれの下側傾斜側面の肩部の下側に位置している。
【００１５】
図面には本発明の一実施例が概略的にのみ描かれており、以下、該実施例について更に詳しく説明する。
【図面の簡単な説明】
【００１６】
【図１】ネジをロックするためのロック装置の平面図であって、２つのシャフトが楕円形の頭部を有する皿フィリップスネジと共に示された平面図。
【図２】シャフト内における楕円形の頭部を有する皿ネジの図１に係る側断面図および斜視図。
【図３】本発明の他の実施例に係るロック装置において楕円形状を有する２つのシャフトおよび皿フィリップスネジの平面図。
【図４】本発明の他の実施例に係るロック装置において楕円形状シャフト内における皿マイナスネジの図３に係る側断面図および斜視図。
【発明を実施するための形態】
【００１７】
図１〜図４はそれぞれ、電気端子のネジをロックするためのロック装置を示している。
この場合、本ロック装置は、例えば、プラスチック材料などの絶縁性変形可能材料から構成される部材またはハウジング状要素１を備えている。
特に図２および図４に示すように、略垂直に延びるシャフト２が部材またはハウジング状要素１に形成されているとともに、頭部４を含むネジ３をシャフト２の皿穴内へ埋め込むようになっている。
ネジ３を誤って緩める、あるいは、無くすことができないようにするために、図１および図２の第１の実施例に係るロック装置によれば、シャフト壁５の領域に輪郭部６が設けられている。
この場合、輪郭部６が、ネジ頭部４が輪郭部６を通り越すとき、すなわち、ネジ３が捩じ込まれている間に、輪郭部６を弾性変形させるように形成されている。
言い換えると、ネジ頭部４がシャフト２の皿穴内に埋め込まれるときに、輪郭部６が押し返され、その後、ネジ頭部４が通過した時点で輪郭部６がシャフト２の内側へ向けて立ち直る。
【００１８】
このように、本発明によれば、シャフト壁５が材料中に形成される環状溝８と相互作用してネジ３またはシャフト２が非円形形状を有するようになっている。
環状溝８の代わりに、開放空間または自由空間が設けられていてもよい。
この目的のため、図１および図２の第１の実施例に示されるように、シャフト２の内壁には、シャフト２の開放縁部に、一体くびれ７が形成される。
ここでは、図１および図２に示すように、ネジ頭部４が楕円形状を有することができるとともに、図３および図４に示すように他の実施例に係るロック装置によれば、ネジ３を受けるためのシャフト２が楕円形状を有し、その場合、特に、使用される射出成形技術によってこの楕円形状が形成される。
【００１９】
図１および図２に示すように、一体くびれ７が、その断面形状が台形となるようにリング形状に形成されている。
言うまでもなく、取り付け軸部９を有するネジ３のネジ頭部４が皿穴に埋め込まれると、最初にネジ頭部４の下縁部が一体くびれ７の上側傾斜面１０に達するとともにネジ３が更に締め付けられるにつれて、傾斜位置により、材料が脆弱な領域で一体くびれ７が環状溝８の方へ押しのけられてネジ頭部４が完全に通過した後に一体くびれ７がシャフト２の内側へと立ち直るようになっている。
これにより、一体くびれ７が、特に環状の一体くびれ７の領域で材料の脆弱化をもたらす環状溝８に起因するバネ式のものであるとともにこの脆弱化が一体くびれ７の弾性変形を促進させるようになっている。
【００２０】
したがって、図１および図２に示される部材またはハウジング要素１における環状の一体くびれ７によれば、楕円形のネジ３が使用されると、シャフト２の弾性変形が起こって環状溝８とシャフト２の弾性変形に伴う壁厚の減少とが促進される。
ネジ３は、部材またはハウジング要素１の張り出しによって保持される。
円形状と楕円形のネジ頭部４との組み合わせにより、ネジ３、および、シャフト２が同様の外周を有することができる。
挿入中、ネジ穴としてのシャフト２の円形外周面が変形されて一時的に楕円のような形状が形成される。
部材またはハウジング要素１を構成する材料は、主にプラスチックの弾性域で変形し、僅かな程度までしか塑性域で変形しない。
一体くびれ７が、ネジ３の挿入中、および、部品が射出成形金型から除去されるときにほぼ原形を保つようになっている。
【００２１】
図２および図４に示すように、第２の実施例に係るロック装置よれば、シャフト２が楕円形を有するように形成されて２つの対向する面によってネジをロックすることができる。
シャフト２の弾性変形が、環状溝８とシャフト２の弾性変形に伴う壁厚の減少とによって引き起こされる。
ネジ３が、部材またはハウジング要素１の張り出しによって保持されるようになっている。
【００２２】
楕円形状と円形のネジ頭部４との組み合わせにより、ネジ３およびシャフト２が同様の外周を有するようになっている。
ネジ３の挿入中、シャフト２の表面が変形されてこの表面が一時的に円形状を得るようになっている。
部材またはハウジング要素１を構成する材料は、主にプラスチックの弾性域で変形し、僅かな程度までしか塑性域で変形しない。
一体くびれ７は、ネジ３の挿入中および部品が射出成形金型から除去されるときに、ほぼ原形を保つようになっている。
【００２３】
既に述べたように、環状溝８が矩形状を成していることにより、環状溝８の底部１１が、一体くびれ７の下側傾斜側面１２の肩部の下側にあるため、一体くびれ７の背後に適切な自由空間が形成されるとともに、一体くびれ７の弾性または塑性変形が促進され、あるいは、ネジ頭部４がくびれを通過する際にシャフト壁５の弾性または塑性変形が促進されるようになっている。
【図１】
2011501069.tif 000003
【図２】
2011501069.tif 000004
【図３】
2011501069.tif 000005
【図４】
2011501069.tif 000006
【国際調査報告】
2011501069.tif 000007
2011501069.tif 000008
2011501069.tif 000009
2011501069.tif 000010
2011501069.tif 000011
2011501069.tif 000012